(57)【要約】【課題】良好な採光機能を有するとともに、透過して視認される背景等の眺望の視認性を向上することができる採光部材、閉鎖部材、これらを用いた建造物を提供する。【解決手段】採光部材２０は、Ｙ方向に対向する入射面２０ａと出射面２０ｂとを有し、入射面２０ａから入射した光を偏向して出射面２０ｂから出射させる部材であり、入射面２０ａと出射面２０ｂとの間に配置され、Ｙ方向と直交するＺ方向に沿って複数配列された光を反射する反射面３３ａを有した光偏向層３０を備え、反射面３３ａは、光反射特性を有する金属により形成され、Ｚ方向となす角度をφとし、０°＜φ＜９０°とし、Ｙ方向おける長さをｈとし、隣り合う反射面３３ａとの配列ピッチをＰとしたときに、（ｈ／ｔａｎφ）／Ｐ≦０．１を満たすことを特徴とする。【選択図】図２
2016206605.tif 000002
【特許請求の範囲】
【請求項１】
第１方向に対向する入射面と出射面とを有し、前記入射面から入射した光を偏向して前記出射面から出射させる採光部材において、
前記入射面と前記出射面との間に配置され、前記第１方向と直交する第２方向に沿って複数配列された光を反射する反射面を有した光偏向層を備え、
前記反射面は、光反射特性を有する金属により形成され、前記第２方向となす角度をφとし、０°＜φ＜９０°とし、前記第１方向おける長さをｈとし、隣り合う反射面との配列ピッチをＰとしたときに、
（ｈ／ｔａｎφ）／Ｐ≦０．１を満たすこと、
を特徴とする採光部材。
【請求項２】
請求項１に記載の採光部材において、
前記反射面は、ｈ／Ｐ≧１．０を満たすこと、
を特徴とする採光部材。
【請求項３】
請求項１又は請求項２に記載の採光部材において、
前記光偏向層の前記入射面側の面又は前記出射面側の面に接合層を更に備えること、
を特徴とする採光部材。
【請求項４】
請求項１又は請求項２に記載の採光部材において、
光透過性を有する第１基材及び第２基材を更に備え、
前記光偏向層は、前記第１基材及び前記第２基材間に挟み込まれていること、
を特徴とする採光部材。
【請求項５】
請求項１から請求項４までのいずれか１項に記載の採光部材と、
前記採光部材の外周縁に設けられた枠部材と、
を備える閉鎖部材。
【請求項６】
請求項１から請求項４までのいずれか１項に記載の採光部材、又は、請求項５に記載の閉鎖部材が、壁又は屋根に設けられた開口部に設置されていること、
を特徴とする建造物。
【発明の詳細な説明】
【技術分野】
【０００１】
本発明は、建造物の内部に太陽光等の光を採り入れる採光部材、閉鎖部材、及び、これらを備えた建造物に関するものである。
【背景技術】
【０００２】
従来、建造物の開口部を通して入射する太陽光等の光を所望の方向に出射させるようにして建造物の内部に光を採光する技術が知られている（例えば、特許文献１、特許文献２）。
特許文献１の採光部材（光学素子）は、Ｚ軸方向に空隙が複数配列された構造層を有しており、構造層と空隙とに屈折率差を設けることによって、太陽光等の斜め上方から入射する光を構造層及び空隙の界面において特定の方向に全反射させ、室内側に入射させている。また、特許文献２の採光部材（採光シート）は、凹状溝が複数配列されたレンズ層を有しており、凹状溝内の透明部材とレンズ層とに屈折率差を設けることによって、太陽光等の斜め上方から入射する光を凹状溝及びレンズ層の界面において特定の方向に全反射させ、室内側に入射させている。そのため、このような採光部材は、照明装置等を使わずに自然光を利用して室内を明るくすることができ、省エネルギー効果（照明費用削減）や、快適な室内空間の形成を可能にしている。
【先行技術文献】
【特許文献】
【０００３】
【特許文献１】特開２０１１−２２７１２０号公報
【特許文献２】特開２０１２−２５５９５１号公報
【発明の概要】
【発明が解決しようとする課題】
【０００４】
しかし、このように屈折率差を設けることにより採光機能を実現している場合、採光部材を通して視認される反対側の景色等の眺望が、その屈折率差が起因となって歪んでしまい、視認性が低下してしまう問題を生じることがある。
そのため、この問題を回避するために、屈折率差による全反射ではなく、光反射特性を有する金属により形成された反射面を複数配列し、入射した光を特定の方向に反射する形態を採光部材に適用することが考えられる。
しかし、この場合においても、反射面の配列ピッチや、採光部材の厚み方向から見た反射面の幅寸法等によっては採光部材内において回折現象が生じてしまう場合があり、採光部材を透過して見える反対側の景色等の眺望がぼやけたり、歪んだりしてしまい、視認性が低下してしまうことがある。
なお、上述の屈折率差を用いた採光機能においても、回折現象による歪みは生じ得るが、屈折率差により生じる歪みの影響が回折現象に比して大きいため、直接的には問題となっていなかった。
【０００５】
本発明の課題は、良好な採光機能を有するとともに、透過して視認される背景等の眺望の視認性を向上することができる採光部材、閉鎖部材、これらを用いた建造物を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
第１の発明は、第１方向（Ｙ方向）に対向する入射面（２０ａ）と出射面（２０ｂ）とを有し、前記入射面から入射した光を偏向して前記出射面から出射させる採光部材（２０）において、前記入射面と前記出射面との間に配置され、前記第１方向と直交する第２方向（Ｚ方向）に沿って複数配列された光を反射する反射面（３３ａ）を有した光偏向層（３０）を備え、前記反射面は、光反射特性を有する金属により形成され、前記第２方向となす角度をφとし、０°＜φ＜９０°とし、前記第１方向おける長さをｈとし、隣り合う反射面との配列ピッチをＰとしたときに、（ｈ／ｔａｎφ）／Ｐ≦０．１を満たすこと、を特徴とする採光部材である。
第２の発明は、第１の発明の採光部材（２０）において、前記反射面（３３ａ）は、ｈ／Ｐ≧１．０を満たすこと、を特徴とする採光部材である。
第３の発明は、第１の発明又は第２の発明の採光部材（２０）において、前記光偏向層（３０）の前記入射面側の面又は前記出射面側の面に接合層（２１）を更に備えること、を特徴とする採光部材。
第４の発明は、第１の発明又は第２の発明の採光部材（１２０）において、光透過性を有する第１基材（１２２）及び第２基材（１２３）を更に備え、前記光偏向層（１３０）は、前記第１基材及び前記第２基材間に挟み込まれていること、を特徴とする採光部材である。
第５の発明は、第１の発明から第４の発明までのいずれかの発明の採光部材（１２０）と、前記採光部材の外周縁に設けられた枠部材（１１１）と、を備える閉鎖部材（１１１）である。
第６の発明は、第１の発明から第４の発明までのいずれかの発明の採光部材（２０）、又は、第５の発明の閉鎖部材（１１０）が、壁又は屋根に設けられた開口部（２）に設置されていること、を特徴とする建造物（１）である。
【発明の効果】
【０００７】
本発明によれば、良好な採光機能を有するとともに、透過して視認される背景等の眺望の視認性を向上することができる。
【図面の簡単な説明】
【０００８】
【図１】第１実施形態の採光部材が配置された建造物を説明する図である。
【図２】第１実施形態の窓に貼付された採光部材の詳細を説明する図である。
【図３】光偏向層の製造方法を説明する図である。
【図４】第２実施形態の閉鎖部材の詳細を説明する図である。
【図５】変形形態の閉鎖部材を示す斜視図である。
【図６】変形形態の閉鎖部材を示す斜視図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１０】
（第１実施形態）
図１は、本実施形態の採光部材が配置された建造物を説明する図である。図１（ａ）は、建造物全体を示す図であり、図１（ｂ）は、開口部に配置される窓及び採光部材の厚み方向から見た正面図である。
図２は、本実施形態の閉鎖部材の詳細を説明する図である。図２（ａ）は、図１（ｂ）のａ部断面を示す図であり、図２（ｂ）は、図２（ａ）に示す採光部材の一部を示す拡大図である。
なお、図１、図２を含め以下に示す図中及び以下の説明において、理解を容易にするために、採光部材の通常の使用状態における鉛直方向をＺ方向とし、水平方向のうち採光部材の厚み方向をＹ方向とし、その厚み方向に直交する左右方向をＸ方向とする。この厚み方向（Ｙ方向）のうち、−Ｙ側を建造物の外側（太陽光等の光が入射する側）とし、＋Ｙ側を建造物の内側（太陽光等の光が出射する側）とする。
【００１１】
建造物１は、住居やオフィス等として使用される建物であり、図１（ａ）に示すように、その壁に複数の開口部２が設けられている。
建造物１の開口部２には、図１（ａ）及び図１（ｂ）に示すように、枠部材１１を介して窓１２が配置されている。また、この窓１２の室内側（建造物の内側、−Ｙ側）の面には、採光部材２０が貼付されている。
枠部材１１は、窓１２を建造物１の開口部２に固定する窓枠であり、例えば、アルミニウム等の金属によって形成されている。
窓１２は、建造物１の開口部２を閉鎖する平板状の部材であり、本実施形態では、透明なガラス基板により構成されている。
【００１２】
採光部材２０は、太陽光等の光を建造物の内側（室内側）に採り入れるシート状の部材であり、図２（ａ）に示すように、建造物の外側（−Ｙ側）から順に、接合層２１、光偏向層３０が積層された構成を有している。
この採光部材２０は、その厚み方向（Ｙ方向）において建造物の外側（−Ｙ側）に位置し、太陽光等の光が入射する入射面２０ａと、この入射面２０ａとＹ方向（第１方向）に対向し、建造物の内側（＋Ｙ側）に位置し、光が出射する出射面２０ｂとから構成されている。
接合層２１は、光偏向層３０の建造物の外側（−Ｙ側）の面に沿うようにして設けられた層であり、光透過性を有する粘着剤や、接着剤により構成され、窓１２に対して採光部材２０を接合する。本実施形態では、この接合層２１の−Ｙ側の面が、採光部材２０の入射面２０ａとなる。なお、接合層２１は、剥離再貼付可能な粘着剤や、静電気吸着剤等によって構成されるようにして、必要に応じて採光部材２０を窓１２から剥がしたり、再貼付したりすることができるようにしてもよい。
【００１３】
光偏向層３０は、その厚み方向（Ｙ方向）において互いに対向する入射面３０ａ及び出射面３０ｂとを有するシート状の層である。ここで、入射面３０ａは、光偏向層３０の−Ｙ側（建造物の外側）の面であり、建造物の外側から光が入射する面である。また、出射面３０ｂは、光偏向層３０の＋Ｙ側（建造物の内側）の面であり、光偏向層３０を透過した光が出射する面である。なお、光偏向層３０の法線方向は、厚み方向に平行であり、採光部材２０の法線方向と一致する。
【００１４】
光偏向層３０は、この入射面３０ａから入射した太陽光等の光を偏向して出射面３０ｂから出射させる部材である。
光偏向層３０は、図２（ａ）に示すように、基材３１と、基材３１の＋Ｙ側の面に設けられるベース部３２と、基材３１の＋Ｙ側の面に沿うようにして複数配列され、ベース部３２に覆われた反射部３３とから構成されており、鉛直上方側（＋Ｚ側）から主に入射する太陽光等の光Ｌを、反射部３３の＋Ｚ側の面（反射面３３ａ）によって所定の方向に偏向させて、建造物の内側へ向けて出射させる。
【００１５】
基材３１は、光偏向層３０の＋Ｙ側（建造物の内側）の面に設けられた光透過性を有するシート状の部材であり、光偏向層３０を支持する支持体である。基材３１は、例えば、樹脂製（例えば、ポリエチレンテレフタレート（ＰＥＴ）や、ポリカーボネート（ＰＣ）等）の基板等が用いられる。
ベース部３２は、光透過性を有する透明な材料（例えば、紫外線硬化性樹脂等）により形成された部材である。このベース部３２内には、光偏向層３０の入射面３０ａに沿うようにして反射部３３が複数配列されている。
【００１６】
反射部３３は、アルミニウムや、銀等の光反射特性を有する金属により形成され、入射面３０ａから入射した光を出射面３０ｂ側へ反射させる部分である。本実施形態の反射部３３は、図２に示すように、左右方向に延在し、入射面３０ａに対して所定の角度（φ）で傾斜した平板状に形成されており、入射面３０ａに沿うようにして鉛直方向（Ｚ方向）に複数配列されている。この反射部３３の平板状の鉛直上側（＋Ｚ側）の板面が、入射面３０ａから入射した光を反射する反射面３３ａとなる。
ここで、本実施形態の反射部３３の反射面３３ａは、鉛直方向（Ｚ方向、第２方向）となす角度をφとし、０°＜φ＜９０°とし、厚み方向（Ｙ方向、第１方向）における長さをｈとし、隣り合う反射面３３ａとの配列ピッチをＰとしたときに、光偏向層３０は、以下の式（１）を満たすようにして形成されている。
【００１７】
式（１）    （ｈ／ｔａｎφ）／Ｐ≦０．１
【００１８】
ここで、式（１）中の（ｈ／ｔａｎφ）は、図２（ｂ）に示すように、鉛直方向（Ｚ方向）における反射部３３の幅Ａを示している。このように、反射部３３の幅Ａと、反射面３３ａの配列ピッチＰとの比が上述の範囲を満たすことによって、反射面３３ａによる十分な採光機能を発揮させるとともに、採光部材２０を透過する光の一部が回折してしまい、採光部材２０の反対側の景色等の眺望が歪んでしまうのを抑制することができる。
【００１９】
仮に、（ｈ／ｔａｎφ）／Ｐが０．１よりも大きい場合、反射部３３の幅Ａに対して配列ピッチＰが極端に小さくなるか、若しくは、反射部３３の幅Ａが配列ピッチＰに対して極端に大きくなる。そのため、反射部３３の幅Ａに対して配列ピッチＰが極端に小さくなる場合、隣り合う反射部３３の間隔が狭くなりすぎてしまい、採光部材２０を透過する光に回折が生じ易くなり、採光部材２０の反対側の景色等の眺望が歪んでしまうので好ましくない。また、反射部３３の幅Ａが配列ピッチＰに対して極端に大きくなる場合、採光部材２０の厚み方向（Ｙ方向）から見て、反射部３３によって視界が遮られる面積が大きくなりすぎてしまい、採光部材２０の反対側の景色等の眺望を視認し難くなるため好ましくない。
なお、上述の効果をより効果的に奏する観点から、反射部３３の幅Ａ（＝ｈ／ｔａｎφ）と配列ピッチＰとの比は、（ｈ／ｔａｎφ）／Ｐ≦０．０６を満たすことが更に望ましい。
【００２０】
ここで、上述したように、角度φは０°＜φ＜９０°の範囲に制限されている。これは角度φが９０度であると、後述する光偏向層３０の製造過程において、反射部３３を形成する斜面αを有した単位プリズム３２ａ（図３参照）を賦形する金型の製造が困難となったり、金型からの離型が困難になったりして望ましくない。また、０°以下であると、反射面３３ａが鉛直方向（Ｚ方向）に平行になってしまい、入射した光を反射面３３ａにより室内側に偏向して出射させることができなくなり望ましくない。
【００２１】
また、光偏向層３０は、太陽光等の光を十分に室内側に採り入れる観点から、反射部３３の長さｈと、配列ピッチＰとの関係が、以下の式（２）を満たすようにして形成されている。
【００２２】
式（２）  ｈ／Ｐ≧１．０
【００２３】
仮に、ｈ／Ｐが１．０未満である場合、配列ピッチＰに対して長さｈが短くなりすぎてしまい、入射面２０ａから入射する太陽光等の光を十分に反射部３３において反射することができなくなるため望ましくない。
【００２４】
次に、本実施形態の光偏向層３０の製造方法の一例を説明する。
図３は、光偏向層３０の製造方法を説明する図である。図３の各図は、光偏向層３０の製造過程をそれぞれ示している。また、図３の各図は、厚み方向（Ｙ方向）に平行であって、反射部の配列方向（Ｚ方向）に平行な断面における断面形状を示している。
まず、図３（ａ）に示すように、基材３１を準備する。
そして、図３（ｂ）に示すように、斜面α及び斜面βを有した単位プリズム３２ａを賦形する金型にベース部３２を形成する樹脂（例えば、紫外線硬化性樹脂等）を充填し、その充填した樹脂上に基材３１を押し当てて、紫外線を照射して樹脂を硬化させた後に離型する。これにより、基材３１上に複数配列された単位プリズム３２ａが形成される。ここで、単位プリズム３２ａは、ＹＺ断面における断面形状が三角形形状であり、斜面αと基材３１の板面とがなす角度がφとなるように形成される。
【００２５】
次に、図３（ｃ）に示すように、基材３１上に形成された単位プリズム３２ａの斜面αに対して、真空蒸着法により反射部３３を形成する。
具体的には、単位プリズム３２ａが形成された基材３１を真空蒸着装置内に配置し、斜面αと対向する位置に不図示の蒸着源や、蒸着方向を制御する制御板等を配置する。そして、真空蒸着装置内を所定の真空度に引いた上で、蒸着源を加熱し、溶融させ、蒸着金属（例えば、アルミニウム等）を斜面αへ飛翔させる。これにより、単位プリズム３２ａの斜面αには、蒸着金属が付着し、反射部３３が形成されることとなる。なお、反射部３３の厚みは、例えば、５０ｎｍ〜１００ｎｍの範囲で形成される。
【００２６】
続いて、図３（ｄ）に示すように、基材３１の単位プリズム３２ａが形成された側の面上に、ベース部３２を形成する樹脂（紫外線硬化性樹脂）を再び充填し、各単位プリズム３２ａ間の凹凸を樹脂層３２ｂによって埋める。
そして、平坦面を有した金型を樹脂層３２ｂに押し当てて、紫外線を照射して樹脂層３２ｂを硬化させた後に離型する。ここで、単位プリズム３２ａ及び樹脂層３２ｂには同様の樹脂が用いられているため、図３（ｅ）に示すように、単位プリズム３２ａと樹脂層３２ｂとが斜面βにおいて密着し、斜面αに形成された反射部３３を覆うようにしてベース部３２が基材３１上に形成される。以上により、光偏向層３０が完成する。
【００２７】
次に、反射部の配列ピッチＰや、長さｈ、角度φが相違する複数（実施例１〜３、比較例）の採光部材を作製し、各採光部材を透過する光の状態の評価結果について説明する。
実施例１の採光部材は、反射部の配列ピッチＰが８０μｍであり、長さｈが２００μｍであり、角度φが８８度であり、反射部の幅Ａ（＝ｈ／ｔａｎφ）が７．０μｍに形成されており、反射部の幅Ａと配列ピッチＰとの比（（ｈ／ｔａｎφ）／Ｐ）が、０．０９である。
実施例２の採光部材は、反射部の配列ピッチＰが１５５μｍであり、長さｈが２００μｍであり、角度φが８８度であり、反射部の幅Ａ（＝ｈ／ｔａｎφ）が７．０μｍに形成されており、反射部の幅Ａと配列ピッチＰとの比（（ｈ／ｔａｎφ）／Ｐ）が、０．０５である。
【００２８】
実施例３の採光部材は、反射部の配列ピッチＰが８０μｍであり、長さｈが１００μｍであり、角度φが８８度であり、反射部の幅Ａ（＝ｈ／ｔａｎφ）が３．５μｍに形成されており、反射部の幅Ａと配列ピッチＰとの比（（ｈ／ｔａｎφ）／Ｐ）が、０．０４である。
比較例１の採光部材は、反射部の配列ピッチＰが８０μｍであり、長さｈが２００μｍであり、角度φが８６度であり、反射部の幅Ａ（＝ｈ／ｔａｎφ）が１４．０μｍに形成されており、反射部の幅Ａと配列ピッチＰとの比（（ｈ／ｔａｎφ）／Ｐ）が、０．１７である。
【００２９】
各採光部材を透過する光の状態の評価は、上述の各実施例及び比較例の採光部材の入射面に対して光を入射させた場合において、透過光（０次光）以外、すなわち１次光以上の光のうち回折光となる比率をシミュレーションにより演算した結果と、各採光部材の反対側の景色等の眺望の視認性を測定者の視覚により評価した結果とに基づいて行われた。各採光部材を透過する光の状態の評価結果を以下の表１にまとめる。
【００３０】
【表１】
2016206605.tif 000003
【００３１】
ここで、表１中の視認性の評価は、測定者の視覚によって、採光部材の反対側の景色等の眺望にほとんど歪みがなく、クリアな状態であると判定したものを「◎」とし、眺望に若干の歪みが存在するが、比較例に比して十分にクリアな状態であると判定したものを「○」とした。一方、採光部材の反対側の景色等の眺望に明らかな歪みや、ゆがみが存在し、採光部材の反対側の眺望がクリアでないと判定したものを「×」とした。
【００３２】
比較例１の採光部材は、１次光以上の光のうち回折光となる比率が３３．０％であり、視認性の評価が「×」であった。
これに対して、実施例１の採光部材は、１次光以上の光のうち回折光となる比率が１６．７％であり、視認性の評価が「○」であった。また、実施例２の採光部材は、１次光以上の光のうち回折光となる比率が９．０％であり、視認性の評価が「◎」であった。実施例３の採光部材は、１次光以上の光のうち回折光となる比率が９．５％であり、視認性の評価が「◎」であった。
【００３３】
以上の結果より、視認性の評価が「○」又は「◎」となる場合に、反射部の幅Ａと配列ピッチＰとの比（Ａ／Ｐ＝（ｈ／ｔａｎφ）／Ｐ）が、上述の式（１）、すなわち（ｈ／ｔａｎφ）／Ｐ≦０．１を満たすことが確認された。
また、特に視認性の評価が「◎」となる場合に、（ｈ／ｔａｎφ）／Ｐ≦０．０６を満たすことも確認された。
更に、１次光以上の光のうち回折光となる比率が低くなることによって、視認性の評価が「○」又は「◎」となる傾向であることが確認された。具体的には、１次光以上の光のうち回折光となる比率が２０％を下回る場合に、視認性の評価が「○」又は「◎」となり、同比率が１０％を下回る場合に視認性の評価が「◎」となる一方、同比率が３０％を超える場合、視認性の評価が「×」となり、１次光以上の光のうち回折光となる比率と視認性の評価とに相関があることが確認された。
【００３４】
以上より、本実施形態の採光部材２０は、反射部３３の反射面３３ａが光反射特性を有する金属により形成され、鉛直方向（Ｚ方向、第２方向）となす角度をφとし、０°＜φ＜９０°とし、厚み方向（Ｙ方向、第１方向）おける長さをｈとし、隣り合う反射面３３ａとの配列ピッチをＰとしたときに、（ｈ／ｔａｎφ）／Ｐ≦０．１を満たしている。これにより、採光部材２０は、反射面３３ａによる十分な採光機能を発揮するとともに、採光部材２０を透過する光の一部が回折してしまい、採光部材２０の反対側の景色等の眺望が歪んでしまうのを抑制することができる。
また、本実施形態の採光部材２０は、ｈ／Ｐ≧１．０を満たすので、入射面２０ａから入射する太陽光等の光を反射部３３において反射させ、室内側により効率よく採り入れることができる。
更に、本実施形態の採光部材２０は、光偏向層３０の入射面３０ａ（入射面２０ａ側の面）に接合層２１を備えているので、開口部に設けられた窓に採光部材２０を貼付することによって、容易に採光機能を付与することができる。
【００３５】
（第２実施形態）
次に、第２実施形態の閉鎖部材１１０及び採光部材１２０について説明する。
図４は、本実施形態の閉鎖部材の詳細を説明する図であり、図２（ａ）に対応する図である。
なお、以下の説明及び図面において、前述した第１実施形態と同様の機能を果たす部分には、同一の符号又は末尾（下２桁）に同一の符号を付して、重複する説明を適宜省略する。
【００３６】
本実施形態の採光部材１２０は、図４に示すように、開口部を閉鎖する窓の代わりの閉鎖部材１１０として枠部材１１１に設けられている点と、光偏向層１３０が入射側パネル１２２及び出射側パネル１２３に挟み込まれた合わせガラス状の形態となっている点で、上述の第１実施形態の採光部材２０と相違する。
閉鎖部材１１０は、建造物の壁に設けられた開口部に設置される採光用の窓であり、枠部材１１１と、採光部材１２０とから構成されている。
枠部材１１１は、採光部材１２０を建造物の開口部に固定する枠部材である。
採光部材１２０は、太陽光等の光を建造物の内側（室内側）に採り入れるシート状の部材であり、図４に示すように、建造物の外側（−Ｙ側）から順に、入射側パネル１２２、光偏向層１３０、出射側パネル１２３が積層された構成を有している。
【００３７】
この採光部材１２０は、その厚み方向（Ｙ方向）において建造物の外側（−Ｙ側）に位置し、太陽光等の光が入射する入射面１２０ａと、この入射面１２０ａに対向し、建造物の内側（＋Ｙ側）に位置して、光が出射する出射面１２０ｂとから構成されている。
入射側パネル１２２及び出射側パネル１２３は、光偏向層１３０を挟み込むようにして、光偏向層１３０の−Ｙ側（建造物の外側）の面上及び＋Ｙ側（建造物の内側）の面上に、それぞれ設けられた光透過性を有するガラス基板である。入射側パネル１２２及び出射側パネル１２３は、上述のガラス基板の他、光透過性を有する樹脂製の基板等を使用することも可能である。
【００３８】
入射側パネル１２２は、光偏向層１３０の−Ｙ側の面に配置され、その−Ｙ側の面が、建造物の外側から入射する太陽光等の光が入射する面となる。なお、本実施形態では、この入射側パネル１２２の−Ｙ側の面が、採光部材１２０の入射面１２０ａとなる。
出射側パネル１２３は、光偏向層１３０の＋Ｙ側の面に配置され、その＋Ｙ側の面が、光偏向層１３０を透過した光が室内側（建造物の内側）へ向けて出射する面となる。本実施形態では、この出射側パネル１２３の＋Ｙ側の面が、採光部材１２０の出射面１２０ｂとなる。
入射側パネル１２２及び出射側パネル１２３は、それぞれ光偏向層１３０に対して、透明な接着層（不図示）により接着されている。この接着層は、例えば、光透過性を有する熱可塑性樹脂等を使用することができる。
【００３９】
以上より、本実施形態の採光部材１２０は、上述の第１実施形態の採光部材２０と同様に、太陽光等の光を反射面１３３ａにより室内側へ反射させて、十分な採光機能を発揮するとともに、採光部材１２０を透過する光の一部が回折してしまい、採光部材１２０の背面側の景色等の眺望が歪んでしまうのを抑制することができる。
また、本実施形態の採光部材１２０は、光透過性を有する入射側パネル１２２及び出射側パネル１２３を更に備え、光偏向層１３０が入射側パネル１２２及び出射側パネル１２３間に挟み込まれているので、採光部材１２０を合わせガラス状の形態にして閉鎖部材１１０として実現することができる。
【００４０】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４１】
（変形形態）
図５は、変形形態の閉鎖部材を示す斜視図である。
図６は、変形形態の閉鎖部材を示す斜視図である。
（１）上述の第２実施形態において、閉鎖部材１１０は、窓の代わりに採光部材１２０が枠部材１１１に固定される例を示したが、これに限定されるものでない。
例えば、図５に示すように、閉鎖部材２１０は、窓２１２、採光部材２２０がそれぞれ枠部材２１１ａ、枠部材２１１ｂに固定されており、窓２１２を固定する枠部材２１１ａが可動溝枠２１１ｃに固定され、採光部材２２０を固定する枠部材２１１ｂが左右方向（Ｘ方向）に移動可能に可動溝枠２１１ｃに保持されるようにしてもよい。ここで、窓２１２は、建造物の開口部に対応する位置に配置されており、採光部材２２０は、窓２１２と対向する対向位置（図５（ａ）参照）から窓２１２から退避する退避位置（図５（ｂ）参照）までの間を移動することができる。
【００４２】
また、図６に示すように、閉鎖部材３１０は、窓３１２、採光部材３２０がそれぞれ枠部材３１１ａ、枠部材３１１ｂに固定されており、窓３１２を固定する枠部材３１１ａに対して採光部材３２０を固定する枠部材３１１ｂが回転可能に回転機構部３１１ｃにより保持されるようにしてもよい。ここで、窓３１２は、建造物の開口部に対応する位置に配置されており、採光部材３２０は、回転機構部３１１ｃを介して、窓３１２と対向する対向位置から窓３１２から退避する退避位置までの間を移動することができる。
上述の図５や図６の形態にすることによって、閉鎖部材は、採光部材を窓（開口部）に対向する対向位置から退避位置までの間を容易に移動させることができるので、外部環境の変化等に応じて、採光部材を使用したり、使用するのをやめたりすることができ、室内環境を調節することができる。
【００４３】
（２）上述の実施形態において、採光部材の反射部は、アルミニウム等の金属を蒸着により形成される例を示したが、これに限定されるものでない。反射部は、例えば、アルミニウム等の光反射特性を有する金属片が含有された塗料を塗布することによって形成されるようにしてもよい。
【００４４】
（３）上述の実施形態において、採光部材は、窓に貼付される形態や、枠部材に固定された閉鎖部材の形態の例で説明したが、これに限定されるものでなく、採光部材２０のみが直接開口部２に配置されるようにしてもよい。
また、上述の第１実施形態の採光部材２０が枠部材に固定された閉鎖部材の形態にしてもよい。この場合、採光部材２０の接合層２１には、例えば、光拡散部材等の光制御シートを貼付して、室内側に採り入れられる光を更に調節するようにしてもよい。
【００４５】
（４）上述の第１実施形態において、採光部材２０は、窓１２の室内側（＋Ｙ側）の面に貼付される例を示したが、これに限定されるものでなく、例えば、窓１２の建造物の外側（−Ｙ側）の面に貼付されるようにしてもよい。この場合、接合層２１は、光偏向層３０の出射面２０ｂ側（＋Ｙ側）の面に設けられる。
【００４６】
（５）上述の実施形態において、採光部材が太陽光等の光を建築物の内側（屋内側）に採り入れる例を示したが、採光部材は、外灯等の屋外照明からの光を採り入れてもよく、光を乗り物の内側に取り入れてもよく、建築物や乗り物の内部に存在する内部照明からの光をある内部区域から他の内部区域に採り入れてもよい。
【００４７】
（６）上述の第２実施形態において、閉鎖部材が建築物の外壁の開口部に設置された窓である例を示したが、閉鎖部材は、戸であってもよく、建築物の内壁や屋根に設置されてもよく、建築物や乗り物の内部に存在するある内部区域と他の内部区域とを区切るための仕切りであってもよい。
【符号の説明】
【００４８】
１    建造物
２    開口部
１１、１１１、２１１、３１１    枠部材
１２、１１２、２１２、３１２    窓
２０、１２０、２２０、３２０    採光部材
２１    接合層
１２２    入射側パネル
１２３    出射側パネル
３０、１３０    光偏向層
３０ａ    入射面
３０ｂ    出射面
３１    ベース部
３１ａ    溝
３２    ルーバ部
１１０、２１０、３１０    閉鎖部材
【図１】
2016206605.tif 000004
【図２】
2016206605.tif 000005
【図３】
2016206605.tif 000006
【図４】
2016206605.tif 000007
【図５】
2016206605.tif 000008
【図６】
2016206605.tif 000009